(57)【要約】【課題】人工透析装置からの廃液が流入する流入口(15)から中和剤充填室(40)を経由して流出口(16)に繋がる流路が内部に形成されたケーシング(1)を具備し、前記中和剤充填室(40)には、固形の中和剤(4)が充填される人工透析装置の洗浄廃液処理ユニットに於いて、中和剤(4)が目詰まりを起こした場合でも、人工透析装置内の洗浄が行えるようにし、これにより、人工透析装置が暫定的に使用できるようにする。【解決手段】前記ケーシング(1)内には、前記流入口(15)から流入した廃液の分流を通過させて前記流出口(16)の上流部まで案内するバイパス管(19)が設けられていること。【選択図】図２
2008000322.tif 000002
【特許請求の範囲】
【請求項１】
人工透析装置からの廃液が流入する流入口から中和剤充填室を経由して流出口に繋がる流路が内部に形成されたケーシングを具備し、
前記中和剤充填室には、固形の中和剤が充填される人工透析装置の洗浄廃液液処理ユニットに於いて、
前記ケーシング内には、前記流入口から流入した廃液の分流を通過させて前記流出口の上流部まで案内するバイパス管が設けられている、人工透析装置の洗浄廃液液処理ユニット。
【請求項２】
請求項１に記載の人工透析装置の洗浄廃液処理ユニットに於いて、
前記ケーシング内には、前記流入口の下流側に隣接して廃液分岐室が形成される一方、前記流出口の上流側に隣接して廃液合流室が形成され、
前記中和剤充填室と前記バイパス管は、前記廃液分岐室と前記廃液合流室を並列状態で実質的に繋ぐ構成である、人工透析装置の洗浄廃液処理ユニット。
【請求項３】
請求項１又は請求項２に記載の人工透析装置の洗浄廃液処理ユニットに於いて、
前記バイパス管の側壁には、前記バイパス管内の長手方向の各部から前記中和剤充填室側に向けて廃液を通過させる為のリーク孔が開設されている、人工透析装置の洗浄廃液処理ユニット。
【請求項４】
請求項１から請求項３の何れかに記載の人工透析装置の洗浄廃液処理ユニットに於いて、
前記流入口が複数設けられている、人工透析装置の洗浄廃液処理ユニット。
【請求項５】
請求項１から請求項４の何れかに記載の人工透析装置の洗浄廃液処理ユニットに於いて、
前記中和剤充填室には、粒状の中和剤が充填されており、
前記中和剤充填室と、前記廃液分離室及び廃液混合室の各境界壁は、前記粒状の中和剤を通過させない大きさの透孔が形成された通水フィルタで構成されている、人工透析装置の洗浄廃液処理ユニット。
【発明の詳細な説明】
【技術分野】
【０００１】
本発明は、人工透析装置から排出される強酸性の洗浄液を中和する為の、洗浄廃液処理ユニットに関する。
【背景技術】
【０００２】
人工透析装置を使用すると、透析液の通路となる配管や透析膜等に蛋白質や細菌等の汚染物質が付着することから、透析終了後に、前記配管や透析膜を水洗いしたり、又、アルカリ洗浄液や酸性洗浄液で洗浄する必要がある。
前記酸性洗浄液として使用される酢酸は強酸性（ｐＨ２〜３）を呈することら、前記酸性洗浄液で洗浄した後の廃液をそのまま下水道に排出すると、下水道の腐食や排水汚染の問題が生じる。
【０００３】
かかる問題に対応するため、前記廃液については、中和処理した後に下水道に排出することを奨励する環境基準が設定されている。
図７は、人工透析装置を洗浄した後の廃液を中和処理する洗浄廃液処理ユニットの従来例の説明図である。
【０００４】
この洗浄廃液処理ユニット(A)は、中空筒(10)と、その両端開放部に螺合された蓋体(11)(12)から成るケーシング(1)を具備し、蓋体(11)(12)には、人工透析装置（図示ぜず）から引き出された排液管を接続する為のホースエンド(13)(14)が突設されている。
このものでは、粒状の固形中和剤(2)をケーシング(1)内に充填すると共に、人工透析装置から引き出した排液管を一方のホースエンド(13)に接続し、他方のホースエンド(14)には下水道側に延びる排液管を接続して使用する。
【０００５】
人工透析装置からの廃液は、一方のホースエンド(13)からケーシング(1)内に流入し、該ケーシング(1)の中空筒(10)内に充填された固形中和剤(2)で中和された後、他方のホースエンド(14)に接続された排液管から下水道側に排出される。
【特許文献１】特開平１１−２９９８８３号公報
【発明の開示】
【発明が解決しようとする課題】
【０００６】
しかしながら、上記従来のものでは、廃液処理に伴って粒状の固形中和剤(2)の表面に蛋白質等の汚染物質が付着して堆積することにより、固形中和剤(2)内が目詰まりを起こすと、廃液がケーシング(1)内を通過できないことから、人工透析装置内の配管等を水洗いしたり、又、アルカリ洗浄液や酸性洗浄液で洗浄することができず、人工透析装置が一時的に使用できなくなるという問題があった。
特に、洗浄廃液処理ユニット(A)を起立姿勢で使用する場合は、粒状の固形中和剤(2)が底部に密集することから、上記目詰まりの問題が生じ易い。
【０００７】
本発明は、かかる点に鑑みて成されたもので、
『人工透析装置からの廃液が流入する流入口から中和剤充填室を経由して流出口に繋がる流路が内部に形成されたケーシングを具備し、
前記中和剤充填室には、固形の中和剤が充填される人工透析装置の洗浄廃液液処理ユニット』に於いて、
中和剤が目詰まりを起こした場合でも、人工透析装置内の洗浄が行えるようにし、これにより、人工透析装置が暫定的に使用できるようにすることを課題とする。
【課題を解決するための手段】
【０００８】
［請求項１に係る発明］
上記課題を解決する為の請求項１に係る発明の解決手段は、
『前記ケーシング内には、前記流入口から流入した廃液の分流を通過させて前記流出口の上流部まで案内するバイパス管が設けられている』ことである。
このものでは、人工透析装置からの強酸性の廃液は、ケーシングに設けられた流入口→中和剤充填室→流出口の経路で流れて外部の下水道等に排出される。そして、前記廃液は、中和剤充填室を通過するときに、中和剤充填室内の中和剤で中和される。
【０００９】
一方、前記流入口に流入した廃液の一部（分流）は、バイパス管を流れて流出口の上流部まで流動する。従って、バイパス管で迂回される領域の中和剤が目詰まりを起こして廃液を通さなくなっても、廃液がバイパス管内を通って流出口に流れる。
【００１０】
［請求項２に係る発明］
請求項１に係る発明に於いて、
『前記ケーシング内には、前記流入口の下流側に隣接して廃液分岐室が形成される一方、前記流出口の上流側に隣接して廃液合流室が形成され、
前記中和剤充填室と前記バイパス管は、前記廃液分岐室と前記廃液合流室を並列状態で実質的に繋ぐ構成である』ものでは、流入口から流入した廃液は、廃液分岐室を流動した後で中和剤充填室側とバイパス管側に分岐し、これら中和剤充填室とバイパス管内を通過してその下流側の廃液合流室で合流する。そして、合流した廃液は、廃液合流室に続く流出口から外部の下水道等に排出される。
【００１１】
［請求項３に係る発明］
請求項１又は請求項２に係る発明に於いて、
『前記バイパス管の側壁には、前記バイパス管内の長手方向の各部から前記中和剤充填室側に向けて廃液を通過させる為のリーク孔が開設されている』ものでは次の作用を奏する。
一般的に、廃液が流入する中和剤充填室内の上流部の中和剤は廃液中の汚染物質が付着・堆積して目詰まりし易く、下流部の中和剤は上流部に比べて目詰まりし難い。
従って、中和剤充填室内の上流部に充填された中和剤が目詰まりした場合でも、その下流側に充填された中和剤は目詰まりを起こしていないことがある。
【００１２】
請求項３に係る発明では、中和剤充填室の上流部に充填された中和剤が目詰まりを起こしても、その下流側に充填された中和剤が目詰まりを起こしていない場合は、バイパス管に開設されたリーク孔から中和剤充填室側に流出する廃液が、前記目詰まりを起こしていない部分の中和剤に供給されて中和される。
【００１３】
［請求項４に係る発明］
請求項１〜請求項３に係る発明に於いて、
『前記流入口が複数設けられている』ものでは、複数の人工透析装置から引き出された各排液管を各流入口に、夫々、接続することができる。従って、複数の人工透析装置から排出される廃液を、一台の洗浄廃液処理ユニットで中和処理できる。又、各人工透析装置から排出されたｐＨ濃度の異なる廃液は、各流入口から共通の廃液分岐室に流入して混合され、これにより、均一濃度に調整された状態で、中和剤充填室内の中和剤で中和処理される。
尚、『前記流出口が複数設けられている』構成にしてもよい。
【００１４】
［請求項５に係る発明］
請求項１〜請求項４に係る発明に於いて、
『前記中和剤充填室には、粒状の中和剤が充填されており、
前記中和剤充填室と、前記廃液分離室及び廃液混合室の各境界壁は、前記粒状の中和剤を通過させない大きさの透孔が形成された通水フィルタで構成されている』ものとすることができる。
このものでは、中和剤充填室内に充填された粒状の中和剤が通水フィルタで遮断されて廃液分離室や廃液混合室に移動することがなく、粒状の中和剤が廃液の流入口や流出口から外部に脱出す不都合を防止できる。
【発明の効果】
【００１５】
本発明は次の特有の効果を有する。
請求項１に係る発明では、バイパス管で迂回される領域に充填された固形の中和剤が目詰まりを起こして廃液を通さなくなっても、廃液がバイパス管から流出口に流れる。従って、中和剤が目詰まりを起こした場合でも、人工透析装置内の洗浄を必ずしも中断させる必要がないから、前記目詰まり時でも洗浄を継続させ、人工透析装置を暫定的に使用することができる。
【００１６】
請求項３に係る発明では、バイパス管に開設されたリーク孔から中和剤充填室側に流出する廃液が、前記目詰まりを起こしていない部分の中和剤に供給されて中和されるから、目詰まりを起こしていない部分の中和剤を有効利用することができる。
【００１７】
請求項４に係る発明では、複数の人工透析装置から排出される廃液を、一台の洗浄廃液処理ユニットで中和処理できる。又、各人工透析装置から排出されたｐＨ濃度の異なる廃液が、各流入口から共通の廃液分岐室に流入し、該廃液分岐室で混合されて均一濃度に調整される。
【００１８】
請求項５に係る発明では、既述したように、粒状の中和剤が廃液の流入口や流出口から外部に脱出する不都合を防止できる。
【発明を実施するための最良の形態】
【００１９】
以下に、本発明を実施するための最良の形態について添付図面を参照しながら説明する。
［第１実施形態］
図１は、本発明の第１実施形態に係る人工透析装置の洗浄廃液処理ユニットの側面図であり、図２はその縦断面図である。
図１に示すように、第１実施形態に係る洗浄廃液処理ユニット(A)は、円筒状の中空筒(10)と、その両端開放部に外嵌固定されたサイドキャップ(17)(18)から成るケーシング(1)を具備し、これら、中空筒(10)やサイドキャップ(17)(18)はステンレス材料で構成されている。一方のサイドキャップ(17)には、人工透析装置(3)から引き出された可撓ホース等の排液管(31)を外嵌接続する為のホースエンド(15)が取り付けられていると共に、他方のサイドキャップ(18)には、下水道等に廃液を排出する可撓ホース等の排液管(32)を外嵌接続する為のホースエンド(16)が取り付けられている。尚、本実施の形態では、前記ホースエンド(15)の部位が既述発明特定事項たる「流入口」に対応し、他方のホースエンド(16)の部位が、既述発明特定事項たる「流出口」に対応する。
【００２０】
図１に示すように、中空筒(10)の側壁には、覗窓(37)が形成されており、該覗窓(37)を構成する透明板(38)を介して中空筒(10)内の固形中和剤(4)の消耗度合いが透視できるようになっている。
図２に示すように、中空筒(10)内の上部には、バイパス管(19)が平行に設けられていると共に、バイパス管(19)の側壁下部には複数のリーク孔(190)(190)が長手方向に所定ピッチで配設されている。
【００２１】
図２，図３に示すように、バイパス管(19)の両端部は、中空筒(10)の内面に溶接された支持リング(22)に嵌入固定されており、バイパス管(19)の下方は固形中和剤(4)を充填する為の中和剤充填室(40)になっている。本実施の形態では、固形中和剤(4)として、炭酸カルシウムを主成分とする粒状物が採用されている。
【００２２】
サイドキャップ(17)(18)は、中空筒(10)の端部に外嵌する筒状体で、夫々の内周には、中空筒(10)の端面に当接するフランジ(171)(181)が各別に周設されている。前記フランジ(171)(181)には、通水フィルタ(23)(23)の外周部が当接されていると共に、該通水フィルタ(23)(23)は、サイドキャップ(17)(18)に形成された内周溝(170)(180)に嵌入・装着された弾性Ｃリング(26)(26)と前記フランジ(171)(181)とで挟持されている。
【００２３】
図４に示すように、通水フィルタ(23)は、粒状の固形中和剤(4)を通過させない大きさの網目を有する金網(24)の外周を一対の環状ゴムパッキン(25)(25)で表裏から挟持した構成である。
【００２４】
サイドキャップ(17)(18)の外端には、閉塞蓋(27)(28)が螺入されており、これら相互の液密性は、Ｏリング(29)(29)で確保されている。
サイドキャップ(17)に螺入された閉塞蓋(27)と通水フィルタ(23)の相互間は廃液分岐室(34)になっており、該廃液分岐室(34)は、サイドキャップ(17)に取り付けられたホースエンド(15)から流入する廃液を中和剤充填室(40)側とバイパス管(19)側に分岐させる部屋である。
【００２５】
一方、サイドキャップ(18)に螺入された閉塞蓋(28)と通水フィルタ(23)の相互間は廃液合流室(35)になっており、該廃液合流室(35)は、中和剤充填室(40)とバイパス管(19)を通過した廃液を合流させてホースエンド(16)に排出する部屋である。
【００２６】
上記バイパス管(19)の両端は、廃液分岐室(34)と廃液合流室(35)の通水フィルタ(23)(23)に隣接しており、これにより、バイパス管(19)は廃液分岐室(34)と廃液合流室(35)を実質的に繋いだ状態になっている。尚、バイパス管(19)の両端を通水フィルタ(23)(23)に当接させてもよい。又、中和剤充填室(40)も、通水フィルタ(23)(23)を介して廃液分岐室(34)と廃液合流室(35)を実質的に繋いだ状態になっている。
【００２７】
このものでは、図１の想像線で示すように、例えば、個人別に使用される小型の人工透析装置(3)から引き出した排液管(31)を一方のホースエンド(15)に接続すると共に、他方のホースエンド(16)には下水道に繋がる排液管(32)を接続して使用する。
【００２８】
この状態で、人工透析を行うと、透析時の使用済み治療薬や、透析終了後に於ける人工透析装置(3)の洗浄水、更には、アルカリ洗浄液や強酸性洗浄液が人工透析装置(3)から廃液となって排液管(31)に排出される。すると、該廃液は、排液管(31)→ホースエンド(15)→サイドキャップ(17)内の廃液分岐室(34)の順序で流れ、その下流側で中和剤充填室(40)とバイパス管(19)に分岐する。そして、前記廃液たる酸性洗浄液は、中和剤充填室(40)を通過するときに、これに充填された固形中和剤(4)で中和され、その後、廃液合流室(35)に流入し、バイパス管(19)を通過した廃液と混合される。そして、廃液合流室(35)で混合された廃液は、サイドキャップ(18)に取り付けられたホースエンド(16)から排液管(32)を経由して下水道等に排出される。
【００２９】
一方、透析時の使用済み治療液や、透析終了後の人工透析装置(3)の洗浄水、更には、アルカリ洗浄液や酸性洗浄液が、本実施の形態に係る洗浄廃液処理ユニット内を通過すると、これらの洗浄水や洗浄液に含まれる蛋白質等の汚染物質が、廃液分岐室(34)に装填された通水フィルタ(23)や、中和剤充填室(40)内の固形中和剤(4)に付着する。これにより、前記通水フィルタ(23)や、中和剤充填室(40)内の上流部に充填された固形中和剤(4)内が次第に目詰まりする。即ち、固形中和剤(4)を構成する粒状物相互の隙間が前記汚染物質で塞がれる。
【００３０】
ところが、本実施の形態に係る洗浄廃液処理ユニットでは、人工透析装置(3)から引き出された排液管(31)に接続されているホースエンド(15)から流入した廃液の一部（分流）は、バイパス管(19)を流れてその下流側の廃液合流室(35)まで流動する。従って、バイパス管(19)で迂回される領域の固形中和剤(4)が目詰まりを起こして廃液を通さなくなっても、廃液がバイパス管(19)から下流端のホースエンド(16)に流れる。よって、固形中和剤(4)が目詰まりを起こした場合でも、人工透析装置(3)内の洗浄を必ずしも中断させる必要がない。従って、前記目詰まり時でも洗浄を継続させ、人工透析装置を暫定的に使用することができる。
【００３１】
又、バイパス管(19)を通過する廃液は、その側壁に開設されたリーク孔(190)(190)から中和剤充填室(40)に漏出する。従って、中和剤充填室(40)の上流部に充填された固形中和剤(4)やその上流の通水フィルタ(23)が目詰まりを起こしても、その下流側に充填された固形中和剤(4)が目詰まりを起こしていない場は、バイパス管(19)に開設されたリーク孔(190)(190)から中和剤充填室(40)側に漏出する廃液が、前記目詰まりを起こしていない部分の中和剤に供給されて中和される。従って、目詰まりを起こしていない部分の固形中和剤(4)を有効利用することができる。
尚、中和剤充填室(40)内の固形中和剤(4)が消耗した場合や、目詰まりが激しく成った場合は、例えば、閉塞蓋(28)や通水フィルタ(23)を取り外して中空筒(10)内に新たな固形中和剤(4)を充填する。
【００３２】
尚、本実施の形態では、サイドキャップ(17)に単一のホースエンド(15)を取り付けたが、サイドキャップ(17)に複数のホースエンド(15)(15)を取り付けても良い。このようにすると、複数の人工透析装置(3)(3)から各別に引き出した排液管(31)(31)を、ホースエンド(15)(15)に各別に接続することが出来、これにより、複数の人工透析装置(3)(3)からの強酸性廃液が一台の洗浄廃液処理ユニット(A)で中和処理できる。又、各人工透析装置(3)から排出されたｐＨ濃度の異なる廃液が、各ホースエンド(15)(15)から共通の廃液分岐室(34)に流入して混合されて均一濃度に調整される。
尚、他方のサイドキャップ(18)に複数のホースエンド(16)(16)を取り付けてもよい。
【００３３】
［第２実施形態］
図６は本発明の第２実施形態に係る洗浄廃液ユニットの断面図である。
このものは、カートリッジ式の洗浄廃液ユニット(A)を、ステンレス製の化粧筒(50)に装填し、その両端にステンレス製の蓋体(51)(52)を外嵌固定したもので、一方の蓋体(52)には、洗浄廃液処理ユニット(A)の端面に当接する脱出防止板(53)がピン(54)で回動自在に取り付けられている。
【００３４】
洗浄廃液処理ユニット(A)は、中空筒(60)と、その両端開放部に螺合されたサイドキャップ(61)(62)から成るケーシング(6)を具備し、前記中空筒(60)は透明樹脂で構成されている。これらサイドキャップ(61)(62)には、人工透析装置から引き出された可撓ホース等の排液管を外嵌接続する為のホースエンド(63)(64)が各別に突設されており、これらホースエンド(63)(64)によって、ケーシング(6)の内外が連通している。
【００３５】
中空筒(60)内の上部には、バイパス管(65)が平行に設けられていると共に、バイパス管(65)の側壁下部には複数のリーク孔(650)(650)が長手方向に所定ピッチで配設されている。そして、バイパス管(65)の下方は固形中和剤(4)を充填する為の中和剤充填室(40)になっている。サイドキャップ(61)(62)内には、既述第１実施形態の通水フィルタ(23)と同一構造の通水フィルタ(66)(66)が装填されており、これら通水フィルタ(66)(66)によって、中和剤充填室(40)内の固形中和剤(4)が廃液分岐室(34)(35)に脱出するのを防止している。
【００３６】
このものでは、人工透析装置(3)から引き出した可撓ホース等の排液管や下水道に繋がる排液管をホースエンド(63)(64)に接続することにより、既述第１実施形態のものと同様に使用する。これにより、第１実施形態のものと同様の作用・効果が得られる。又、本実施形態のものでは、固形中和剤(4)が消耗した場合や、目詰まりが激しくなった場合は洗浄廃液処理ユニット(A)を交換できるようになっている。洗浄廃液処理ユニット(A)の交換時には、一方の蓋体(52)に取り付けられた脱出防止板(53)を、ピン(54)を支点として上方に回動させ、これにより、洗浄廃液処理ユニット(A)の前方を開放する。その後、洗浄廃液処理ユニット(A)を化粧筒(50)から引き抜いて廃棄する。その後、新たな洗浄廃液処理ユニット(A)を化粧筒(50)に装填して、脱出防止板(53)を下方の初期位置まで回動させると、脱出防止板(53)が洗浄廃液処理ユニット(A)の端面に当接し、これにより、洗浄廃液処理ユニット(A)が安定する。このものでは、使用済みの洗浄廃液処理ユニット(A)を化粧筒(50)から取出してそのまま廃棄できるから、作業者に洗浄廃液処理ユニット(A)内の滞留廃液が付着する心配が少なくなり衛生的である。
尚、第２実施形態のものでは、化粧筒(50)の側壁に、固形中和剤(4)の消耗度合いを外部から透視して確認するための覗窓を形成してもよい。
【図面の簡単な説明】
【００３７】
【図１】本発明の第１実施形態に係る洗浄廃液処理ユニット(A)の側面図
【図２】本発明の第１実施形態に係る洗浄廃液処理ユニット(A)の断面図
【図３】バイパス管(19)の保持部の説明図
【図４】通水フィルタ(23)の断面図
【図５】ホースエンド(15)の配設部の断面図
【図６】第２実施形態の断面図
【図７】従来例の説明図
【符号の説明】
【００３８】
(1)・・・ケーシング
(4)・・・固形中和剤
(19)(65)・・・バイパス管
(23)(66)・・・通水フィルタ
(40)・・・中和剤充填室  
【図１】
2008000322.tif 000003
【図２】
2008000322.tif 000004
【図３】
2008000322.tif 000005
【図４】
2008000322.tif 000006
【図５】
2008000322.tif 000007
【図６】
2008000322.tif 000008
【図７】
2008000322.tif 000009